(57)【要約】【課題】ころの組み込み性を容易にし、加工コストを低減でき、かつ保持器の強度を向上すること。【解決手段】（ａ）の例では、複列のころ３は、もみ抜き保持器１１により保持してある。外輪１の両側には、鍔部５が形成してあると共に、その中央部には、外輪案内部６が形成してある。もみ抜き保持器１１は、ころ３を径方向内方からパチン挿入可能なポケット部を有している。（ｂ）の例では、複列のころ３は、もみ抜き保持器１１により保持してある。内輪２の両側には、鍔部８が形成してあると共に、その中央部には、内輪案内部９が形成してある。もみ抜き保持器１１は、ころ３を径方向外方からパチン挿入可能なポケット部を有している。【選択図】図１
2007232204.tif 000002
【特許請求の範囲】
【請求項１】
外輪と内輪との間に、複列のころを転動自在に介装すると共に、当該ころを保持する保持器を備えた複列ころ軸受に於いて、
前記保持器は、ころを径方向からパチン挿入可能なポケット部を有することを特徴とする複列ころ軸受。
【請求項２】
前記保持器は、各列ごとに分割されたもみ抜き保持器であることを特徴とする請求項１に記載の複列ころ軸受。
【請求項３】
前記保持器は、各列のころを囲む一体型のもみ抜き保持器であることを特徴とする請求項１に記載の複列ころ軸受。
【請求項４】
軌道輪の少なくとも一方に、鍔輪を有することを特徴とする請求項１乃至３の何れか１項に記載の複列ころ軸受。
【請求項５】
軌道輪は、前記内輪と外輪とも一体型であり、
一方の軌道輪は、鍔部を有せず、
他方の軌道輪は、複列ころの間に１箇所のみ鍔部を有し、両端に鍔部を有しないことを特徴とする請求項３に記載の複列ころ軸受。
【請求項６】
軌道輪は、前記内輪と外輪とも一体型であり、
一方の軌道輪は、鍔部を有せず、
他方の軌道輪は、両端に鍔部を有し、複列ころの間に鍔部を有しないことを特徴とする請求項３に記載の複列ころ軸受。
【請求項７】
軌道輪の一方は、鍔部を有し、もう一方の軌道輪は、分割軌道輪で、分割軌道輪は、組立てた状態で両端に、鍔部を有することを特徴とする請求項１乃至４の何れか１項に記載の複列ころ軸受。
【請求項８】
前記保持器は、転動体案内であることを特徴とする請求項１乃至７の何れか１項に記載の複列ころ軸受。
【発明の詳細な説明】
【技術分野】
【０００１】
本発明は、一般産業機械をはじめ鉄鋼機械、風力発電機等に使用される複列ころ軸受に関する。
【背景技術】
【０００２】
図７（ａ）（ｂ）は、それぞれ、従来例に係る複列円筒ころ軸受の半断面図である。
【０００３】
図７（ａ）の従来例では、外輪１と内輪２との間には、複列のころ３が転動自在に介装してある。これら複列のころ３は、くし型保持器４により保持してある。外輪１の両側には、鍔部５が形成してあると共に、その中央部には、外輪案内部６が形成してある。また、外輪１の鍔部５には、ころ３挿入用の入れ溝７が形成してある。
【０００４】
図７（ｂ）の従来例では、外輪１と内輪２との間には、複列のころ３が転動自在に介装してある。これら複列のころ３は、くし型保持器４により保持してある。内輪２の両側には、鍔部８が形成してあると共に、その中央部には、内輪案内部９が形成してある。また、内輪２の鍔部８には、ころ３挿入用の入れ溝１０が形成してある。
【０００５】
また、特許文献１では、くし型保持器の柱先端部分内径面がテーパ形状としてある。すなわち、保持器は、リング状部の両側に各列のころを保持する柱部が突出したものである。柱部に、先端部分を内径側面が切り欠かれたテーパ状部に形成してある。
【０００６】
さらに、特許文献２では、くし型保持器の内径側の両側線に、ころの脱落を防止する落ち止め爪を設け、保持器内径側からころを保持器ポケットに押し込む構成である。
【特許文献１】特開平８−１８４３１９号公報
【特許文献２】特開平９−２３６１２９号公報
【発明の開示】
【発明が解決しようとする課題】
【０００７】
上記の図７（ａ）（ｂ）に示した従来例に於いては、ころ３の挿入時に、内輪２もしくは外輪１の軌道面と、ころ３のチャンファー部とが接触するため、軸受組立て時に、軌道面に傷が発生しやすいという問題点があった。
【０００８】
また、鍔部５，８の鍔面に、ころ３の挿入用の入れ溝７，１０を加工する必要があるため、アキシアル荷重が負荷される用途には不向きであると共に、加工コストが高くなるという問題点があった。
【０００９】
別言すれば、保持器案内側のリングには、ころ３の両側に鍔部５，８を設け、ころ３の脱落を防止する必要があった。しかし、鍔部５，８があるために、鍔面にころの挿入用の入れ溝７，１０を加工する必要があり、加工コストが高くなるという問題点があった。
【００１０】
特許文献１に於いては、鍔面におけるころ入れ溝を省略することを可能にしているが、やはりころ挿入時に、外輪軌道面ところのチャンファー部とが接触するため、組立て時に、外輪軌道面にきずが発生しやすいという問題点がある。
【００１１】
特許文献２に於いては、落ち止め爪を設けているが、落ち止め爪の加工が困難であり、加工コストが高くなるという問題点があった。
【００１２】
また、上記の従来例や特許文献１及び２は、くし型の保持器を採用しているものである。くし型保持器においては、その構造上、保持器の柱が片もち梁となっている。このため、急加減速等により、ころがポケット面に衝突する際には、保持器の柱の根元部の応力値が高くなり、保持器の破損の可能性が高くなるので、応力を下げるための対策が必要となる。
【００１３】
本発明は、上述したような事情に鑑みてなされたものであって、ころの組み込み性を容易にし、加工コストを低減でき、かつ保持器の強度を向上することができる、複列ころ軸受を提供することを目的とする。
【課題を解決するための手段】
【００１４】
上記の目的を達成するため、本発明に係る複列ころ軸受は、外輪と内輪との間に、複列のころを転動自在に介装すると共に、当該ころを保持する保持器を備えた複列ころ軸受に於いて、
前記保持器は、ころを径方向からパチン挿入可能なポケット部を有することを特徴とする。
【００１５】
好適には、前記保持器は、各列ごとに分割されたもみ抜き保持器である。
【００１６】
また、好適には、前記保持器は、各列のころを囲む一体型のもみ抜き保持器である。
【００１７】
さらに、好適には、軌道輪の少なくとも一方に、鍔輪を有する。
【００１８】
さらに、好適には、軌道輪は、前記内輪と外輪とも一体型であり、
一方の軌道輪は、鍔部を有せず、
他方の軌道輪は、複列ころの間に１箇所のみ鍔部を有し、両端に鍔部を有しない。
【００１９】
さらに、好適には、軌道輪は、前記内輪と外輪とも一体型であり、
一方の軌道輪は、鍔部を有せず、
他方の軌道輪は、両端に鍔部を有し、複列ころの間に鍔部を有しない。
【００２０】
さらに、好適には、軌道輪の一方は、鍔部を有し、もう一方の軌道輪は、分割軌道輪で、分割軌道輪は、組立てた状態で両端に、鍔部を有する。
【００２１】
さらに、好適には、前記保持器は、転動体案内である。
【発明の効果】
【００２２】
本発明によれば、ころの組み込み性を容易にし、加工コストを低減でき、かつ保持器の強度を向上することができる。
【発明を実施するための最良の形態】
【００２３】
以下、本発明の実施の形態に係る複列ころ軸受を図面を参照しつつ説明する。
【００２４】
（第１実施の形態）
図１（ａ）（ｂ）は、それぞれ、本発明の第１実施の形態に係る複列円筒ころ軸受の半断面図である。
【００２５】
本実施の形態に係る複列円筒ころ軸受に於いて、図１（ａ）の例（ＮＮＵ形）では、外輪１と内輪２との間には、複列のころ３が転動自在に介装してある。これら複列のころ３は、もみ抜き保持器１１により保持してある。外輪１の両側には、鍔部５が形成してあると共に、その中央部には、外輪案内部６が形成してある。もみ抜き保持器１１は、各列ごとに分割されたもみ抜き保持器からなり、また、転動体案内である。
【００２６】
図１（ａ）の例（ＮＮＵ形）では、もみ抜き保持器１１は、ころ３を径方向内方からパチン挿入可能なポケット部を有している。すなわち、鍔部５を有する外輪１に、ほぼ同心状にもみ抜き保持器１１を配置して、ころ３を径方向内方から挿入し、鍔部を有しない内輪２を軸方向から組み立てる。
【００２７】
このようなもみ抜き保持器１１を製造するに当たっては、特開２００１−１２４７７号公報に詳細に記載してあるように、公転方向に並ぶ複数の柱と、当該複数の柱の軸方向端部を連結するリング状の側板とを備え、柱及び側板の側面にポケット面が形成されると共に上記柱と側板の接合部にポケットの逃げ部が形成された、ころ軸受用の保持器であって、上記柱のポケット面における、少なくとも転動体（ころ３）と接触する部分の保持器半径方向に沿った断面形状は円弧形状に形成され、且つ、保持器半径方向端部における公転方向のポケット幅がころ径よりも僅かに小さくなって柱の保持器半径方向端部にころのばれ止め部が形成され、そのばれ止め部の軸方向端部は上記逃げ部によって側板と切り離され、当該ばれ止め部の軸方向長さが、ころ有効長さ以下となっている。また、これに代えて、公転方向に並ぶ複数の柱と、当該複数の柱の軸方向端部を連結するリング状の側板とを備え、柱及び側板の側面にポケット面が形成されると共に上記柱と側板の接合部にポケットの逃げ部が形成された、ころ軸受用の保持器であって、上記柱のポケット面における、少なくとも転動体（ころ３）と接触する部分の保持器半径方向に沿った断面形状は円弧形状に形成され、且つ、保持器半径方向端部における公転方向のポケット幅がころ径よりも僅かに小さくなって柱の保持器半径方向端部にころのばれ止め部が形成され、そのばれ止め部の柱側面での保持器半径方向の断面形状は、上記柱ポケット面の円弧形状に滑らかに接続されると共に、ポケット側に凸の曲率半径を有する曲線形状となっている。
【００２８】
図１（ａ）の例（ＮＮＵ形）では、以上のように、ころ３が保持器１１の径方向内方からパチン挿入可能になっているため、軸受の組立ての際、外輪１もしくは内輪２の軌道面に、ころ３のチャンファー部が当たることが無く、きずの発生を防止するとが可能となる。したがって、ころ３の組み込み性を容易にし、かつもみ抜き保持器１１の強度を向上することができる。
【００２９】
また、もみ抜き保持器１１は、その柱が両持ち梁となっていることから、ころ３がもみ抜き保持器１１の柱部に衝突した場合においても、くし型保持器と比較して、柱の根元部分の応力は、小さくなるため、もみ抜き保持器１１の強度を向上するという効果がある。
【００３０】
次に、図１（ｂ）の例（ＮＮ形）では、外輪１と内輪２との間には、複列のころ３が転動自在に介装してある。これら複列のころ３は、もみ抜き保持器１１により保持してある。内輪２の両側には、鍔部８が形成してあると共に、その中央部には、内輪案内部９が形成してある。もみ抜き保持器１１は、各列ごとに分割されたもみ抜き保持器からなり、また、転動体案内である。
【００３１】
もみ抜き保持器１１は、ころ３を径方向外方からパチン挿入可能なポケット部を有している。すなわち、鍔部８を有する内輪２に、ほぼ同心状にもみ抜き保持器１１を配置して、ころ３を径方向外方から挿入し、鍔部を有しない外輪１を軸方向から組み立てる。
【００３２】
図１（ｂ）の例（ＮＮ形）では、以上のように、ころ３が保持器１１の径方向外方からパチン挿入可能になっているため、軸受の組立ての際、外輪１もしくは内輪２の軌道面に、ころ３のチャンファー部が当たることが無く、きずの発生を防止するとが可能となる。したがって、ころ３の組み込み性を容易にし、かつもみ抜き保持器１１の強度を向上することができる。また、もみ抜き保持器１１は、その柱が両持ち梁となっていることから，ころ３がもみ抜き保持器１１の柱部に衝突した場合においても，くし型保持器と比較して、柱の根元部分の応力は、小さくなるため、もみ抜き保持器１１の強度を向上するという効果がある。
【００３３】
すなわち、図１（ａ）（ｂ）では、まとめると、もみ抜き保持器１１は、ころを径方向からパチン挿入可能なポケット部を有している。すなわち、鍔部を有する軌道輪に、ほぼ同心状にもみ抜き保持器１１を配置して、ころ３を径方向から挿入し、鍔部を有しない軌道輪を軸方向から組み立てる。
【００３４】
（第２実施の形態）
図２（ａ）（ｂ）は、それぞれ、本発明の第２実施の形態に係る複列円筒ころ軸受の半断面図である。
【００３５】
図２（ａ）（ｂ）の例は、それぞれ、図１（ａ）（ｂ）の例に対応している。
【００３６】
本実施の形態では、図２（ａ）（ｂ）のそれぞれに於いて、保持器は、各列のころを囲む一体型のもみ抜き保持器１２である。その他の構成、作用、及び効果は、上述した実施の形態と同様である。
【００３７】
（第３実施の形態）
図３（ａ）（ｂ）は、それぞれ、本発明の第３実施の形態に係る複列円筒ころ軸受の半断面図である。
【００３８】
図３（ａ）（ｂ）の例は、それぞれ、図１（ａ）（ｂ）又は図２（ａ）（ｂ）の例に対応しており、軌道輪の少なくとも一方に、鍔輪を有する。
【００３９】
図３（ａ）の例では、内輪２に、鍔輪１３が設けてあり、図３（ｂ）の例では、外輪１に、鍔輪１４が設けてある。
【００４０】
従って、図３（ａ）の例では、内輪２を図３（ａ）の左から右方向に挿入後に、鍔輪１３を取付ける。図３（ｂ）の例では、外輪１を図３（ｂ）の左から右方向に挿入後に、鍔輪１４を取付ける。
【００４１】
図３（ａ）（ｂ）の例に於いては、外輪１もしくは内輪２の鍔部５，８に、ころ３の入れ溝を省略することが可能であるため、内輪２もしくは外輪１に鍔部５，８又は鍔輪１３，１４を設けて、両方向のアキシアル荷重を受けることができるという利点もある。
【００４２】
その他の構成、作用、及び効果は、上述した実施の形態と同様である。
【００４３】
（第４実施の形態）
図４（ａ）（ｂ）は、それぞれ、本発明の第４実施の形態に係る複列円筒ころ軸受の半断面図である。
【００４４】
図４（ａ）（ｂ）の例は、それぞれ、図１（ａ）（ｂ）、図２（ａ）（ｂ）又は図３（ａ）（ｂ）の例に対応しており、軌道輪の一方は、鍔部を有し、もう一方の軌道輪は、分割軌道輪で、分割軌道輪は、組立てた状態で両端に、鍔部を有する。
【００４５】
図４（ａ）の例では、内輪は、分割した内輪２ａ，２ｂからなり、それぞれに、鍔部８ａ，８ｂが形成してある。したがって、ころ３を径方向内方から挿入した後、内輪２ａ，２ｂを左右両側からそれぞれ取付ける。なお、分割した内輪２ａ，２ｂの内側には、鍔は設けていない。こうしないと、組み立てることができないからである。
【００４６】
図４（ｂ）の例では、外輪は、分割した外輪１ａ，１ｂからなり、それぞれに、鍔部５ａ，５ｂが形成してある。したがって、ころ３を径方向外方から挿入した後、外輪１ａ，１ｂを左右両側からそれぞれ取付ける。なお、分割した外輪１ａ，１ｂの内側には、鍔は設けていない。こうしないと、組み立てることができないからである。
【００４７】
図４（ａ）（ｂ）の例に於いては、外輪１（１ａ，１ｂ）もしくは内輪２（２ａ，２ｂ）の鍔部５，８（５ａ，５ｂ，８ａ，８ｂ）に、ころ３の入れ溝を省略することが可能であるため、外輪１（１ａ，１ｂ）もしくは内輪２（２ａ，２ｂ）に、鍔部５，８（５ａ，５ｂ，８ａ，８ｂ）を設けて、両方向のアキシアル荷重を受けることができるという利点もある。
【００４８】
その他の構成、作用、及び効果は、上述した実施の形態と同様である。
【００４９】
（第５実施の形態）
図５（ａ）（ｂ）は、それぞれ、本発明の第５実施の形態に係る複列円筒ころ軸受の半断面図である。
【００５０】
図５（ａ）の例では、軌道輪は、内輪２と外輪１とも一体型であり、内輪２は、鍔部を有しない。外輪１は、複列ころ３の間の中央部に１箇所のみ鍔部６を有し、両端に鍔部を有しない。
【００５１】
図５（ｂ）の例では、軌道輪は、内輪２と外輪１とも一体型であり、外輪１は、鍔部を有しない。内輪２は、複列ころ３の間の中央部に１箇所のみ鍔部９を有し、両端に鍔部を有しない。保持器は、図５（ａ）（ｂ）の例に於いて、各列のころ３を囲む一体型のもみ抜き保持器１２である。
【００５２】
本実施の形態では、もみ抜き保持器１２は、ころ３を径方向外方からパチン挿入可能なポケット部を有することにより、鍔部を省略した場合においても、ころ３が脱落することがない。
【００５３】
また、もみ抜き保持器１２の柱部を両持ち梁に構成していることから、ころ３がもみ抜き保持器１２の柱部に衝突した場合においても、くし型保持器と比較して、柱部根元部分の応力が小さくなるため、もみ抜き保持器１２の強度を向上することができる。
【００５４】
その他の構成、作用、及び効果は、上述した実施の形態と同様である。
【００５５】
（第６実施の形態）
図６（ａ）（ｂ）は、それぞれ、本発明の第６実施の形態に係る複列円筒ころ軸受の半断面図である。
【００５６】
図６（ａ）の例では、軌道輪は、内輪２と外輪１とも一体型であり、内輪２は、鍔部を有しない。外輪１は、その両端に、鍔部５，５を有し、複列ころ３の間の中央部には、鍔部を有しない。
【００５７】
図６（ｂ）の例では、軌道輪は、内輪２と外輪１とも一体型であり、外輪１は、鍔部を有しない。内輪２は、その両端に、鍔部８，８を有し、複列ころ３の間の中央部には、鍔部を有しない。保持器は、図６（ａ）（ｂ）の例に於いて、各列のころ３を囲む一体型のもみ抜き保持器１２である。
【００５８】
本実施の形態では、もみ抜き保持器１２は、ころ３を径方向外方からパチン挿入可能なポケット部を有することにより、鍔部を省略した場合においても、ころ３が脱落することがない。
【００５９】
また、もみ抜き保持器１２の柱部を両持ち梁に構成していることから、ころ３がもみ抜き保持器１２の柱部に衝突した場合においても、くし型保持器と比較して、柱部根元部分の応力が小さくなるため、もみ抜き保持器１２の強度を向上することができる。
【００６０】
その他の構成、作用、及び効果は、上述した実施の形態と同様である。
【００６１】
なお、本発明は、上述した実施の形態に限定されず、種々変形可能である。例えば、本発明は、ころの列数が３列以上となった場合においても適用可能である。
【図面の簡単な説明】
【００６２】
【図１】（ａ）（ｂ）は、それぞれ、本発明の第１実施の形態に係る複列円筒ころ軸受の半断面図である。
【図２】（ａ）（ｂ）は、それぞれ、本発明の第２実施の形態に係る複列円筒ころ軸受の半断面図である。
【図３】（ａ）（ｂ）は、それぞれ、本発明の第３実施の形態に係る複列円筒ころ軸受の半断面図である。
【図４】（ａ）（ｂ）は、それぞれ、本発明の第４実施の形態に係る複列円筒ころ軸受の半断面図である。
【図５】（ａ）（ｂ）は、それぞれ、本発明の第５実施の形態に係る複列円筒ころ軸受の半断面図である。
【図６】（ａ）（ｂ）は、それぞれ、本発明の第６実施の形態に係る複列円筒ころ軸受の半断面図である。
【図７】（ａ）（ｂ）は、それぞれ、従来例に係る複列円筒ころ軸受の半断面図である。
【符号の説明】
【００６３】
１，１ａ，１ｂ  外輪
２，２ａ，２ｂ  内輪
３  ころ
４  くし型保持器
５，ａ，５ｂ  鍔部
６  外輪案内部
７  入れ溝
８，８ａ，８ｂ  鍔部
９  内輪案内部
１０  入れ溝
１１  もみ抜き保持器
１２  もみ抜き保持器
１３  鍔輪
１４  鍔輪
【図１】
2007232204.tif 000003
【図２】
2007232204.tif 000004
【図３】
2007232204.tif 000005
【図４】
2007232204.tif 000006
【図５】
2007232204.tif 000007
【図６】
2007232204.tif 000008
【図７】
2007232204.tif 000009